(57)【要約】【課題】  カートリッジタンクの取付凸部の雄ネジがアダプタ部の取付凹部の雌ネジに対して、ねじ込みがなかったり、ねじ込みが緩くなる取り付け不良があっても、これを解消できるようにする。【解決手段】  潤滑剤が充填されたカートリッジタンク１が着脱可能に取り付けられるアダプタ部２１、アダプタ部２１に着脱可能に設けられカートリッジタンク１を覆うカバー３０を備え、アダプタ部２１はカートリッジタンク１の取付凸部４の雄ネジ５が螺合する雌ネジ２２を有するとともに取付凸部４の開口３の開口端面３ａが接合する底面２６ａを有した取付凹部２６を備え、カートリッジタンク１の取付凸部４に突出部１０を設け、カバー３０に、取付凸部４の開口端面３ａが取付凹部２６の底面２６ａに接合するまで、突出部１０に衝止してカバー１０の所定位置への移動を阻止する衝止部４０を設けた。【選択図】図１
2013087912.tif 000002
【特許請求の範囲】
【請求項１】
流動状の潤滑剤が充填される容器本体と、該容器本体に連通する開口が形成され外周に雄ネジが形成された取付凸部とを有したカートリッジタンクを備え、
該カートリッジタンクが着脱可能に取り付けられるアダプタ部と、該アダプタ部に取り付けられたカートリッジタンク内の潤滑剤を吸引して吐出するポンプ部とを有した潤滑ポンプを備え、
該潤滑ポンプのアダプタ部を、上記カートリッジタンクの取付凸部の雄ネジが螺合する雌ネジを有するとともに該取付凸部の開口の開口端面が接合する底面を有した取付凹部と、該取付凹部の底面に設けられ該カートリッジタンク内の潤滑剤を上記ポンプ部に導く導通路とを備えて構成し、
上記アダプタ部に着脱可能に設けられ装着時に上記カートリッジタンクを覆うカバーを備え、
上記アダプタ部に、上記カバーの所定位置で該カバーを該アダプタ部に保持するための係合部を設ける一方、上記カバーに、上記アダプタ部の係合部に係合する被係合部を設けた潤滑ポンプ装置において、
上記カートリッジタンクの取付凸部に、突出部を設け、
上記カバーに、上記カートリッジタンクの取付凸部の雄ネジが上記アダプタ部の取付凹部の雌ネジに螺合し始めてから該取付凸部の開口端面が上記取付凹部の底面に接合するまで、上記突出部に衝止して該カバーの所定位置への移動を阻止する衝止部を設けたことを特徴とする潤滑剤用ポンプ装置。
【請求項２】
上記突出部を、上記取付凸部の基端部に該取付凸部の外周面から突出して設けられ上記容器本体の外径よりも大きな外形を有するフランジで構成したことを特徴とする請求項１記載の潤滑剤用ポンプ装置。
【請求項３】
上記フランジを、上記取付凸部の基端部に着脱可能にしたことを特徴とする請求項２記載の潤滑剤用ポンプ装置。
【請求項４】
上記取付凸部の基端部外周に溝を形成し、上記フランジを、上記溝に嵌合する貫通孔と、外周縁から上記貫通孔に亘って形成され上記溝の直径と略同じ幅の切欠き部とを備えた板材で構成したことを特徴とする請求項３記載の潤滑剤用ポンプ装置。
【請求項５】
上記衝止部を、上記カバーの内側面に形成され、上記フランジに当接する段差部で構成したことを特徴とする請求項２乃至４何れかに記載の潤滑剤用ポンプ装置。
【発明の詳細な説明】
【技術分野】
【０００１】
本発明は、工作機械や射出成形機等の産業機械等に潤滑等の目的で潤滑剤を供給する潤滑剤用ポンプ装置に係り、特に、潤滑剤が充填されたカートリッジタンクを、カートリッジタンク内の潤滑剤を吸引して吐出する潤滑ポンプに着脱可能に取り付けた潤滑剤用ポンプ装置に関する。
【背景技術】
【０００２】
従来、この種の潤滑剤用ポンプ装置としては、例えば、特許文献１（特開２００９−６３０７８号公報）に記載されたものが知られている。
図１０に示すように、この潤滑剤用ポンプ装置Ｓａは、流動状の潤滑剤が充填されるカートリッジタンク１００と、カートリッジタンク１００が着脱可能に取り付けられるアダプタ部１１１及びカートリッジタンク１００内の潤滑剤を吸引して吐出するポンプ部１１２を有した潤滑ポンプ１１０と、アダプタ部１１１に着脱可能に設けられ装着時にカートリッジタンク１００を覆うカバー１３０とを備えて構成されている。
【０００３】
カートリッジタンク１００は、潤滑剤が充填されるジャバラ筒状の容器本体１０１と、容器本体１０１に設けられ開口１０３が形成された取付凸部１０２とを備えて構成されている。この取付凸部１０２は、その外径が容器本体１０１の外径よりも小さく設定されており、その外周面に雄ネジ１０４が形成されている。
潤滑ポンプ１１０のアダプタ部１１１は、カートリッジタンク１００の取付凸部１０２の雄ネジ１０４が螺合する雌ネジ１１８を有するとともに、取付凸部１０２の開口１０３の開口端面１０５が接合する底面１１３を有した取付凹部１１７を備えている。また、取付凹部１１７の底面１１３には、入口部１１４を有しカートリッジタンク１００内の潤滑剤をポンプ部１１２に導く導通路１１５が備えられている。
【０００４】
このカートリッジタンク１００を潤滑ポンプ１１０に取り付けるときは、取付凸部１０２の雄ネジ１０４を取付凹部１１７の雌ネジ１１８にねじ込んで、取付凸部１０２の開口端面１０５をアダプタ部１１１の底面１１３に接合させてカートリッジタンク１００をアダプタ部１１１に取り付けることにより行なう。この状態では、取付凸部１０２の開口１０３内に導通路１１５の入口部１１４が位置するようになる。その後、カバー１３０をアダプタ部１１１に装着する。
そして、この潤滑剤用ポンプ装置Ｓａを作動させると、ポンプ部１１２によってカートリッジタンク１００内の潤滑剤が吸引され、この吸引された潤滑剤が入口部１１４から導通路１１５を通ってポンプ部１１２内に入り、ポンプ部１１２から所望の位置に吐出される。
【先行技術文献】
【特許文献】
【０００５】
【特許文献１】特開２００９−６３０７８号公報
【発明の概要】
【発明が解決しようとする課題】
【０００６】
しかしながら、この従来の潤滑剤用ポンプ装置Ｓａにおいては、カートリッジタンク１００の取り付け時に、取付凸部１０２の雄ネジ１０４をアダプタ部１１１の雌ネジ１１８にねじ込む際、ねじ込むことを忘れたり、また、ねじ込んでも作業者がねじ込み具合を判断しにくく、そのため、ねじ込みが緩かったりする事態が生じることがあった。このように、ねじ込みがなかったり、ねじ込みが緩いと、取付凸部１０２の開口端面１０５がアダプタ部１１１の底面１１３に接合しない状態となって、装置Ｓａの作動時にポンプ部１１２が潤滑剤のみならずエアも吸引してしまい、そのため、ポンプ部１１２側にエアが混入してしまう不具合が生じるという問題があった。
【０００７】
本発明は、このような問題点に鑑みてなされたもので、カートリッジタンクの取付凸部の雄ネジがアダプタ部の取付凹部の雌ネジに対して、ねじ込みがなかったり、ねじ込みが緩くなる取り付け不良があっても、作業者がこの事態を体感で認知することができるようにし、取り付け不良を解消して、ポンプ部側にエアが混入してしまう不具合を防止することができるようにした潤滑剤用ポンプ装置を提供することを目的とする。
【課題を解決するための手段】
【０００８】
このような目的を達成するため、本発明の潤滑剤用ポンプ装置は、流動状の潤滑剤が充填される容器本体と、該容器本体に連通する開口が形成され外周に雄ネジが形成された取付凸部とを有したカートリッジタンクを備え、
該カートリッジタンクが着脱可能に取り付けられるアダプタ部と、該アダプタ部に取り付けられたカートリッジタンク内の潤滑剤を吸引して吐出するポンプ部とを有した潤滑ポンプを備え、
該潤滑ポンプのアダプタ部を、上記カートリッジタンクの取付凸部の雄ネジが螺合する雌ネジを有するとともに該取付凸部の開口の開口端面が接合する底面を有した取付凹部と、該取付凹部の底面に設けられ該カートリッジタンク内の潤滑剤を上記ポンプ部に導く導通路とを備えて構成し、
上記アダプタ部に着脱可能に設けられ装着時に上記カートリッジタンクを覆うカバーを備え、
上記アダプタ部に、上記カバーの所定位置で該カバーを該アダプタ部に保持するための係合部を設ける一方、上記カバーに、上記アダプタ部の係合部に係合する被係合部を設けた潤滑ポンプ装置において、
上記カートリッジタンクの取付凸部に、突出部を設け、
上記カバーに、上記カートリッジタンクの取付凸部の雄ネジが上記アダプタ部の取付凹部の雌ネジに螺合し始めてから該取付凸部の開口端面が上記取付凹部の底面に接合するまで、上記突出部に衝止して該カバーの所定位置への移動を阻止する衝止部を設けた構成としている。
【０００９】
これにより、カートリッジタンクを潤滑ポンプに取り付けるときは、カートリッジタンクの取付凸部の雄ネジをアダプタ部の取付凹部の雌ネジにねじ込み、取付凸部の開口端面を取付凹部の底面に接合させる。この状態で、カバーをカートリッジタンクに被せ、カバーの所定位置で、カバーの被係合部をアダプタ部の係合部に係合させて、カバーをアダプタ部に装着する。
【００１０】
この際、もし、カートリッジタンクの取付凸部の雄ネジがアダプタ部の取付凹部の雌ネジに対して、ねじ込みがなかったり、ねじ込みが緩い取り付け不良があると、取付凸部の開口端面が取付凹部の底面に接合していない状態になるが、この場合には、カバーを装着する際に、カバーの衝止部がカートリッジタンクの取付凸部に設けた突出部に衝止し、カバーは所定位置への移動が阻止されるので、カバーをアダプタ部に保持することができなくなる。そのため、作業者は、カートリッジタンクがアダプタ部に対して取り付け不良になっていることを体感で認知することができるようになる。
【００１１】
このように、カートリッジタンクが取り付け不良になっていることを認知したならば、再び、カバーを外して、カートリッジタンクの取付凸部の雄ネジをアダプタ部の取付凹部の雌ネジにしっかりとねじ込み、取付凸部の開口端面を取付凹部の底面に確実に接合させることができる。そして、この状態で、カバーを装着する。この場合、カバーの衝止部が突出部に当接しても、カバーは所定位置へ移動するので、カバーの被係合部をアダプタ部の係合部に係合させて、カバーをアダプタ部に装着することができる。
【００１２】
即ち、従来においては、カートリッジタンクのねじ込みがなかったり、ねじ込みが緩いと、取付凸部の開口端面がアダプタ部の底面に接合しない状態となって、装置の作動時にポンプ部が潤滑剤のみならずエアも吸引してしまい、そのため、ポンプ部側にエアが混入してしまう不具合が生じることがあるが、カバーの装着の際に、このねじ込みがなかったり、ねじ込みが緩い取り付け不良に気がついて、この取り付け不良を解消できるので、ポンプ部側にエアが混入してしまう不具合を防止することができる。
また、カバーの被係合部がアダプタ部の係合部に係合した状態で、衝止部が突出部に当接していると、衝止部が押さえになってカートリッジタンクのガタツキを防止することができ、取付凸部の開口端面を取付凹部の底面により一層確実に接合させることができる。
【００１３】
そして、必要に応じ、上記突出部を、上記取付凸部の基端部に該取付凸部の外周面から突出して設けられ上記容器本体の外径よりも大きな外径を有するフランジで構成している。
これにより、フランジの外径は容器本体の外径より大きいので、カバーをアダプタ部に装着すると、カバーが確実にカートリッジタンクを覆うとともに、カバーに設けられた衝止部が突出部に確実に衝止することができ、容易に取り付け不良を認知することができるようになる。
【００１４】
また、必要に応じ、上記フランジを、上記取付凸部の基端部に着脱可能にした構成としている。
これにより、カートリッジタンクにフランジを取り付けて使用し、容器本体内の潤滑剤が無くなったならば、このカートリッジタンクからフランジを取り外して、このフランジを新たなカートリッジタンクに取り付けて使用することができる。即ち、フランジを再利用することができるので、製造コストを低減させることができる。また、フランジを取付凸部の基端部に一体形成した場合と比較して、カートリッジタンクを比較的容易に製造することができる。
【００１５】
更に、必要に応じ、上記取付凸部の基端部外周に溝を形成し、上記フランジを、上記溝に嵌合する貫通孔と、外周縁から上記貫通孔に亘って形成され上記溝の直径と略同じ幅の切欠き部とを備えた板材で構成している。
これにより、フランジを取付凸部の基端部に取り付けるときは、切欠き部から取付凸部の溝に差し込んで貫通孔を溝に嵌合させることにより行なう。差し込むだけで取り付けることができるので、着脱を容易に行なうことができる。
【００１６】
更にまた、必要に応じ、上記衝止部を、上記カバーの内側面に形成され、上記フランジに当接する段差部で構成している。
これにより、カバーをアダプタ部に装着すると、カバーの段差部がフランジに確実に衝止することができ、容易に取り付け不良を認知することができるようになる。また、カバーに段差部を形成するだけでよいので、比較的簡易な構成とすることができる。
【発明の効果】
【００１７】
本発明の潤滑剤用ポンプ装置によれば、カートリッジタンクの取付凸部の雄ネジがアダプタ部の取付凹部の雌ネジに対して、ねじ込みがなかったり、ねじ込みが緩い取り付け不良があると、取付凸部の開口端面が取付凹部の底面に接合していない状態になるが、この場合には、カバーを装着する際に、カバーの衝止部がカートリッジタンクの取付凸部に設けた突出部に衝止し、カバーは所定位置への移動が阻止されるので、作業者は、カートリッジタンクがアダプタ部に対して取り付け不良になっていることを体感で認知することができるようになる。そのため、カートリッジタンクの取付凸部の雄ネジをアダプタ部の取付凹部の雌ネジにしっかりとねじ込まなければ、カバーを被せることができないことから、カートリッジタンクの取り付け不良を解消して、ポンプ部側にエアが混入してしまう不具合を防止することができるようになる。また、カバーの被係合部がアダプタ部の係合部に係合した状態で、衝止部が突出部に当接していると、衝止部が押さえになってカートリッジタンクのガタツキを防止することができ、取付凸部の開口端面を取付凹部の底面により一層確実に接合させることができるという効果も奏する。
【図面の簡単な説明】
【００１８】
【図１】本発明の実施の形態に係る潤滑剤用ポンプ装置を示す正面断面図である。
【図２】本発明の実施の形態に係る潤滑剤用ポンプ装置を示す分解斜視図である。
【図３】本発明の実施の形態に係るカートリッジタンクを示し、（ａ）は正面図、（ｂ）は底面図である。
【図４】本発明の実施の形態に係る突出部を示し、（ａ）は平面図、（ｂ）は横断面図である。
【図５】本発明の実施の形態に係るアダプタ部を示し、（ａ）は正面図、（ｂ）は正面断面図、（ｃ）は平面図である。
【図６】本発明の実施の形態に係るカバーを示し、（ａ）は正面断面図、（ｂ）は正面要部断面図、（ｃ）は底面図である。
【図７】本発明の実施の形態に係る覆栓を示す図である。
【図８】本発明の実施の形態に係る覆栓をアダプタ部に取り付けるときの状態を示す図である。
【図９】本発明の実施の形態に係る潤滑剤用ポンプ装置の作用を示す正面断面図である。
【図１０】従来の潤滑剤用ポンプ装置の一例を示す図である。
【発明を実施するための形態】
【００１９】
以下、添付図面に基づいて本発明の実施の形態に係る潤滑剤用ポンプ装置を説明する。
図１乃至図９には、本発明の実施の形態に係る潤滑剤用ポンプ装置Ｓを示している。本発明の潤滑剤用ポンプ装置Ｓは、流動状の潤滑剤が充填されるカートリッジタンク１と、カートリッジタンク１が着脱可能に取り付けられる樹脂製のアダプタ部２１及びカートリッジタンク１内の潤滑剤を吸引して吐出するポンプ部２９を有した潤滑ポンプ２０と、潤滑ポンプ２０のアダプタ部２１に着脱可能に設けられ装着時にカートリッジタンク１を覆うカバー３０とを備えて構成されている。
【００２０】
カートリッジタンク１は、図１乃至図３に示すように、潤滑剤が充填され一端が閉塞される円筒状の容器本体２と、容器本体２の他端側に設けられるとともに容器本体２と同軸の開口３が形成される円筒状の取付凸部４とを備えて構成されている。取付凸部４の外周には雄ネジ５が形成されている。
容器本体２は、透明若しくは半透明の樹脂製であり、ジャバラ筒状に形成されている。この容器本体２には、流動状の潤滑剤が充填されている。潤滑剤としては、主にグリスが用いられ、また、必要に応じ、粘度の低いやわらかい、例えばオイル等であっても良い。
取付凸部４は、容器本体２の軸線を軸心として容器本体２から突出し、その外径が容器本体２の外径よりも小さく設定されており、その基端部４ａの外周に溝６が形成されている。
【００２１】
このカートリッジタンク１の取付凸部４には突出部１０が設けられている。この突出部１０は、取付凸部４の基端部４ａに取付凸部４の外周面から突出して設けられ容器本体２の外径よりも大きな外径を有するフランジ１１で構成されている。このフランジ１１は、図１，図２及び図４に示すように、樹脂で成形され、溝６に嵌合する貫通孔１２と、外周縁から貫通孔１２に亘って形成され溝６の直径と略同じ幅の切欠き部１３とを備えた略Ｃ字状の板材で構成されており、取付凸部４の基端部４ａに対して着脱可能に設けられている。また、突出部１０を構成するフランジ１１の外周は、把持しやすいように、凸条部１５と凹条部１６とを交互に形成してある。
【００２２】
潤滑ポンプ２０のアダプタ部２１は、図１，図２及び図５に示すように、カートリッジタンク１の取付凸部４の雄ネジ５が螺合する雌ネジ２２を有するとともに、取付凸部４の開口３の開口端面３ａが接合する底面２６ａを有した取付凹部２６と、取付凹部２６の底面２６ａに設けられ入口部２３ａを有しカートリッジタンク１内の潤滑剤をポンプ部２９に導く管状の導通路２３とを備えて構成されている。この入口部２３ａは、カートリッジタンク１の取り付け時に取付凸部４の開口３から容器本体２内部に挿通される。
更に、取付凹部２６の外側には平面状の一般面２５が形成され、この一般面には、カバー３０の装着時にカバー３０の後述の遊嵌部３１の内側面に対峙し、取付凹部２６と同軸に設けられるリング状のリング壁２７が立設されている。
【００２３】
カバー３０は、図１，図２及び図６に示すように、樹脂製で透明に形成され、一端３０ａが閉塞されて他端３０ｂに開放口３２を有した円筒カップ状に形成されている。また、他端３０ｂから後述の段差部４１に至る部位は、アダプタ部２１のリング壁２７より大径且つ突出部１０のフランジ１１より大径でリング壁２７に遊嵌する遊嵌部３１として構成されている。このカバー３０の開放口３２の外径は、潤滑ポンプ２０のアダプタ部２１の外径と略同じ大きさに設定されている。
【００２４】
また、図１，図２，図５及び図６に示すように、アダプタ部２１及びカバー３０には、カバー３０を装着するための係合部２８及び被係合部３３が夫々設けられている。この係合部２８及び被係合部３３は、カバー３０の開放口縁部３２ａをアダプタ部２１の一般面２５に当接させた状態で、カバー３０をその軸線を中心に回転させることによりアダプタ部２１の係合部２８がカバー３０の被係合部３３に係合するように構成されている。
アダプタ部２１の係合部２８は、アダプタ部２１のリング壁２７の外周面に等角度間隔で３つ突設され、カバー３０の被係合部３３は、カバー３０の遊嵌部３１の内側面に等角度間隔で３つ突設されている。係合部２８及び被係合部３３の何れか一方（実施の形態では係合部２８）はリング壁２７及び遊嵌部３１の円周方向に沿う係合凹部２８ｄを備えて形成され、係合部２８及び被係合部３３の何れか他方（実施の形態では被係合部３３）はリング壁２７及び遊嵌部３１の円周方向に沿い係合凹部２８ｄにカバー３０の円周方向の回動によって係脱する係合凸部３３ａを備えて形成されている。
【００２５】
詳しくは、係合部２８は、図５（ａ）に示すように、アダプタ部２１のリング壁２７の外周面に付設され周方向に直交する方向に延びて被係合部３３の先端が衝止する衝止突部２８ａと、衝止突部２８ａの上端から周方向に延びて所定長さに形成される矩形状の爪部２８ｂと、爪部２８ｂの先端側に切欠き形成される鉤穴部２８ｃとを備えて構成され、爪部２８ｂと一般面２５との間に係合凹部２８ｄを形成している。
被係合部３３は、図６に示すように、カバー３０の他端３０ｂ側の遊嵌部３１の内側面に付設され係合部２８の爪部２８ｂと一般面２５との間の係合凹部２８ｄに挿通されて係合される矩形状の係合凸部３３ａと、係合凸部３３ａに突設され係合凹部２８ｄへの係合時に鉤穴部２８ｃに係合される鉤部３３ｂとを備えて構成されている。
【００２６】
また、図１，図２及び図６に示すように、カバー３０には、カートリッジタンク１の取付凸部４の雄ネジ５がアダプタ部２１の取付凹部２６の雌ネジ２２に螺合し始めてから取付凸部４の開口端面３ａが取付凹部２６の底面２６ａに接合するまで、突出部１０に衝止してカバー３０の所定位置への移動を阻止する衝止部４０が設けられている。この衝止部４０は、カバー３０の内側面に形成された段差部４１で構成され、段差部４１は、他端３０ｂより所定深さ位置の内周に沿って形成されており、他端３０ｂから段差部４１に至る部位は、アダプタ部２１のリング壁２７より大径且つ突出部１０のフランジ１１より大径でリング壁２７に遊嵌する遊嵌部３１として構成されている。
【００２７】
また、図１，図２，図７及び図８に示すように、実施の形態におけるカートリッジタンク１には、その取付凸部４の開口３を覆う樹脂製の覆栓５０が設けられている。
この覆栓５０には、アダプタ部２１の入口部２３ａが取付凸部４の開口３に挿入された時、入口部２３ａによって切断される薄肉の切断溝５１が形成されている。この切断溝５１は、円周溝５２と縦溝５３とで構成されている。円周溝５２は、アダプタ部２１の入口部２３ａの口径よりも大きな径の円形状に形成されており、縦溝５３は、円周溝５２の中心及び円周溝５２間に亘って十字状に４本形成されている。この円周溝５２と縦溝５３とで囲繞される部分には、４つの片部５４が形成されている。
【００２８】
また、円周溝５２の外側には外周部５５が形成されている。本実施の形態においては、この外周部５５の表面が取付凸部４の開口端面３ａとして構成されている。この外周部５５（開口端面３ａ）には、アダプタ部２１の凹部２６の底面２６ａに当接する円形の突条５６が設けられている。
更にまた、この覆栓５０には、切断溝５１が切断されたとき、４つの片部５４を夫々支持するヒンジ５７が設けられている。このヒンジ５７は、片部５４と外周部５５との間に設けられており、このヒンジ５７を介して片部５４と外周部５５とを接続している。
【００２９】
従って、この実施の形態に係る潤滑剤用ポンプ装置Ｓにおいて、カートリッジタンク１を潤滑ポンプ２０に取り付けるときは、予め、カートリッジタンク１に突出部１０としてのフランジ１１を取り付けておく。この場合、フランジ１１を取付凸部４の基端部４ａに取り付けるときは、切欠き部１３から取付凸部４の溝６に差し込んで貫通孔１２を溝６に嵌合させることにより行なう。差し込むだけで取り付けることができるので、着脱を容易に行なうことができる。
【００３０】
そして、フランジ１１が取り付けられたカートリッジタンク１を、潤滑ポンプ２０に取り付ける。この際、容器本体２を逆さにして取付凸部４を下側にする。このとき、取付凸部４の開口３は覆栓５０によって被覆されており、この覆栓５０が潤滑剤を受け止めるので、粘度の低いやわらかい潤滑剤を使用した場合でも、潤滑剤が取付凸部４から漏れることを防止できる。そして、カートリッジタンク１の取付凸部４の雄ネジ５をアダプタ部２１の取付凹部２６の雌ネジ２２にねじ込み、取付凸部４の開口端面３ａを取付凹部２６の底面２６ａに接合させる。
【００３１】
詳しくは、図８に示すように、入口部２３ａが覆栓５０の表面と接触し、更に挿入すると、入口部２３ａによって覆栓５０の中心から縦溝５３が切断され、４つの片部５４が入口部２３ａによって覆栓５０の中心を頂点として持ち上げられるようになる。これにより、円周溝５２が切断され、片部５４が容器本体２内に入り込むようになる。切断溝５１が切断されると、入口部２３ａが取付凸部４の開口３に挿通される。
【００３２】
入口部２３ａが取付凸部４の開口３に挿通された状態で、更にカートリッジタンク１を取付凹部２６にねじ込んでいくと、覆栓５０の外周部５５の表面（開口端面３ａ）に設けられた円形の突条５６が、底面２６ａに当接するようになる。このとき、この突条５６によって、開口端面３ａと底面２６ａとは略線接触で当接するようになる。この場合、開口端面３ａと底面２６ａとを面接触で当接させた場合と比較して、接触場所に掛かる圧力が大きくなり、そのため、シール性が良くなる。
【００３３】
この状態で、カバー３０をカートリッジタンク１に被せ、カバー３０の所定位置で、カバー３０を回転させ、被係合部３３をアダプタ部２１の係合部２８に係合させて、カバー３０をアダプタ部２１に装着する。
この際、図９に示すように、もし、カートリッジタンク１の取付凸部４の雄ネジ５がアダプタ部２１の取付凹部２６の雌ネジ２２に対して、ねじ込みがなかったり、ねじ込みが緩い取り付け不良があると、取付凸部４の開口端面３ａが取付凹部２６の底面２６ａに接合していない状態になるが、この場合には、カバー３０を装着する際に、カバー３０の衝止部４０がカートリッジタンク１の取付凸部４に設けた突出部１０に衝止し、カバー３０は所定位置への移動が阻止されるので、カバー３０をアダプタ部２１に保持することができなくなる。そのため、作業者は、カートリッジタンク１がアダプタ部２１に対して取り付け不良になっていることを体感で認知することができるようになる。
【００３４】
このように、カートリッジタンク１が取り付け不良になっていることを認知したならば、再び、カバー３０を外して、カートリッジタンク１の取付凸部４の雄ネジ５をアダプタ部２１の取付凹部２６の雌ネジ２２にしっかりとねじ込み、取付凸部４の開口端面３ａを取付凹部２６の底面２６ａに確実に接合させることができる。そして、この状態で、カバー３０を装着する。この場合、図１に示すように、カバー３０の衝止部４０が突出部１０に当接しても、カバー３０は所定位置へ移動するので、カバー３０を回転させてカバー３０の被係合部３３をアダプタ部２１の係合部２８に係合させて、カバー３０をアダプタ部２１に装着することができる。
【００３５】
そして、カートリッジタンク１をアダプタ部２１に取り付けた状態で潤滑ポンプ２０を作動させる。潤滑ポンプ２０を作動させると、ポンプ部２９によってカートリッジタンク１内の潤滑剤が吸引され、この吸引された潤滑剤が入口部２３ａから導通路２３を通ってポンプ部２９内に入り、ポンプ部２９から所望の位置に吐出される。この場合、従来においては、カートリッジタンク１のねじ込みがなかったり、ねじ込みが緩いと、取付凸部４の開口端面３ａがアダプタ部２１の底面２６ａに接合しない状態となって、装置の作動時にポンプ部２９が潤滑剤のみならずエアも吸引してしまい、そのため、ポンプ部２９側にエアが混入してしまう不具合が生じることがあるが、カバー３０の装着の際に、このねじ込みがなかったり、ねじ込みが緩い取り付け不良に気がついて、この取り付け不良を解消できるので、ポンプ部２９側にエアが混入してしまう不具合を防止することができる。
また、カバー３０の被係合部３３がアダプタ部２１の係合部２８に係合した状態で、衝止部４０が突出部１０に当接していると、衝止部４０が押さえになってカートリッジタンク１のガタツキを防止することができ、取付凸部４の開口端面３ａを取付凹部２６の底面２６ａにより一層確実に接合させることができる。
【００３６】
尚、上記実施の形態において、突出部１０及び衝止部４０の形状や形成位置などは上記したものに限定されるものではなく、適宜変更して差し支えない。また、カートリッジタンク１の容器本体２をジャバラ筒状に形成したが、必ずしもこれに限定されるものではなく、円筒状等どのような形状に形成しても良く、適宜変更して差支えない。
また、上記実施の形態において、カートリッジタンク１を、取付凸部４の外径よりも容器本体２の外径を大きく形成したが、必ずしもこれに限定されるものではなく、取付凸部４の外径と容器本体２の外径とが同じに形成された、所謂寸胴タイプであっても良く、適宜変更して差支えない。
【００３７】
尚また、上記実施の形態において、取付凸部４に覆栓５０を設けて取付凸部４の開口端面３ａを覆栓５０の外周部５５の表面で構成したが、必ずしもこれに限定されるものではなく、覆栓５０を設けなくても良く、適宜変更して差支えない。この場合、取付凸部４の開口端面３ａは、取付凸部４の開口３の開口縁部で構成される。また、アダプタ部２１の底面２６ａとカートリッジタンク１の覆栓５０（開口端面３ａ）との間にパッキンを介装しても良い。より一層シール性が向上させられる。
【符号の説明】
【００３８】
Ｓ  潤滑剤用ポンプ装置
１  カートリッジタンク
２  容器本体
３  開口
３ａ  開口端面
４  取付凸部
５  雄ネジ
６  溝
１０  突出部
１１  フランジ
１２  貫通孔
１３  切欠き部
２０  潤滑ポンプ
２１  アダプタ部
２２  雌ネジ
２３  導通路
２３ａ  入口部
２５  一般面
２６  取付凹部
２６ａ  底面
２７  リング壁
２８  係合部
２９  ポンプ部
３０  カバー
３１  遊嵌部
３２  開放口
３３  被係合部
４０  衝止部
４１  段差部
５０  覆栓
【図１】
2013087912.tif 000003
【図２】
2013087912.tif 000004
【図３】
2013087912.tif 000005
【図４】
2013087912.tif 000006
【図５】
2013087912.tif 000007
【図６】
2013087912.tif 000008
【図７】
2013087912.tif 000009
【図８】
2013087912.tif 000010
【図９】
2013087912.tif 000011
【図１０】
2013087912.tif 000012